(57)【要約】  【課題】  路面の標示施工予定箇所に対して雨雪を遮断し、路面の標示施工予定箇所を濡れ難くできる路面標示施工用天幕装置を提供する。  【解決手段】  その長手方向途中に複数の折目を有し、長手方向へ広げたときの面積を調整可能とした帯状の天幕１と、天幕１の幅方向及び長手方向に離隔して配置された４つの杆状の脚部２１、及び該脚部２１の上端部に結合され、横方向への長さを調整可能とした長さ調整部を有する枠状の天幕支持部２２とを備えており、天幕支持部２２に天幕の周縁部を支持した。【選択図】        図１
2006016857.tif 000002
【特許請求の範囲】
【請求項１】
路面の標示施工箇所を路面と離隔した位置で覆う天幕、及び該天幕を前記標示施工箇所の近傍の路面に支持する支持体を備えることを特徴とする路面標示施工用天幕装置。
【請求項２】
前記天幕は横方向へ広げたときの面積を調整可能としてあり、前記支持体は横方向への長さを調整可能とした長さ調整部を有する請求項１記載の路面標示施工用天幕装置。
【請求項３】
前記支持体は、その下端に転動輪を有する複数の脚部を有しており、前記長さ調整部は前記脚部間に架設され、引出／収納を可能に継合された複数の継杆を有する請求項２記載の路面標示施工用天幕装置。
【請求項４】
前記支持体は、その下端に転動輪を有する複数の脚部を有しており、前記長さ調整部は、前記脚部を連結した索部材を有する請求項２記載の路面標示施工用天幕装置。
【請求項５】
前記支持体は前記天幕を支持した枠形の天幕支持部と、該天幕支持部の外側に、防水性を有する熱遮蔽板を備える請求項１乃至４のいずれかひとつに記載の路面標示施工用天幕装置。
【請求項６】
前記天幕は帯形をなしており、該天幕に結合され、天幕を繰出し可能に巻取る巻取具を備える請求項１乃至５のいずれかひとつに記載の路面標示施工用天幕装置。
【請求項７】
請求項１乃至６のいずれかひとつに記載の路面標示施工用天幕装置を用いて路面の標示施工箇所を天幕で覆い、標示材排出部を有する路面標示施工装置の前記標示材排出部を前記天幕の下側に配置し、該標示材排出部から路面へ標示材を排出することにより、前記路面に標示施工することを特徴とする路面標示施工方法。
【発明の詳細な説明】
【技術分野】
【０００１】
本発明は、降雨、降雪時にやむを得ず路面標示施工を行うのに好適な路面標示施工用天幕装置及び路面標示施工方法に関する。
【背景技術】
【０００２】
路面の標示施工は、移動台車に搭載されたタンクと、該タンクの下部に供給路を介して連結され、タンク内の路面標示材（塗料）を路面上へ排出する排出部と、前記供給路を開閉する弁体とを備えた路面標示施工装置を用い、移動台車を手押操作で移動させつつタンク内の路面標示材（塗料）を排出部から路面上へ自重により落下させることにより適宜厚さの標示線等の標示が施工される（例えば、特許文献１）。
【０００３】
ところで、降雨、降雪時には路面が濡れており、路面標示材を路面に接着させることができないため、標示線等の路面標示施工を行うことができなかった。また、雨上がり後に路面を自然乾燥、ガスバーナ等の乾燥器具で乾燥させた場合でも、この乾燥後の降雨、降雪により再び路面が濡れた場合、標示施工は実施することができなかった。
【特許文献１】特開２０００−１３６５０７号公報
【発明の開示】
【発明が解決しようとする課題】
【０００４】
降雨、降雪時に路面標示施工装置を用いて路面標示施工を行うには、例えば標示施工予定箇所をベニヤ板等の板体で覆うことが考えられるが、この板体を路面と離隔した位置に安全に据えることが難しいと言う問題があり、また、比較的長い長さの標示線等を施工する場合は板体を継足すことが難しく、比較的短い標示を施工することができるに過ぎないし、また、板体は一定の大きさに形成されているため、板体の保管スペースが広くなり、また、板体の運搬が行い難いと言う問題がある。
【０００５】
本発明は斯かる事情に鑑みてなされたものであり、主たる目的は路面の標示施工箇所を路面と離隔した位置で覆う天幕、及び該天幕を前記標示施工箇所の近傍の路面に支持する支持体を備える構成とすることにより、降雨、降雪時においても、路面の標示施工予定箇所に路面標示施工を実行させることが可能となる路面標示施工用天幕装置及び路面標示施工方法を提供することにある。
【０００６】
また、他の目的は横方向へ広げたときの面積を調整可能とした天幕とし、支持体に横方向への長さを調整可能とした長さ調整部を設けることにより、路面の標示施工予定箇所の長さに応じて天幕の面積を変えることができ、また、路面標示施工用天幕装置の持運び、及び収納を容易にできる路面標示施工用天幕装置及び路面標示施工方法を提供することにある。
【０００７】
また、他の目的は転動輪を有する複数の脚部と、該脚部を離隔した位置で連結し、引出／収納を可能に継合された複数の継杆とを有する構成とすることにより、長さ調整部の剛性を高めることができ、耐久性を向上できる路面標示施工用天幕装置及び路面標示施工方法を提供することにある。
【０００８】
また、他の目的は転動輪を有する複数の脚部と、該脚部を連結した索部材とを有する構成とすることにより、継杆を用いるものに比べて軽量にでき、また、支持体の横方向長さを短くすることができる路面標示施工用天幕装置及び路面標示施工方法を提供することにある。
【０００９】
また、他の目的は天幕を支持した枠形の天幕支持部の外側に熱遮蔽板を設けることにより、標示施工予定箇所をガスバーナ等による乾燥器具により乾燥させるとき、乾燥器具による天幕の損傷を防ぐことができる路面標示施工用天幕装置及び路面標示施工方法を提供することにある。
【００１０】
また、他の目的は帯形の天幕を繰出し可能に巻取る巻取具を設けることにより、路面の標示施工予定箇所の長さに応じて天幕の面積を変えることができ、また、路面標示施工用天幕装置の持運び、及び収納を容易にできる路面標示施工用天幕装置及び路面標示施工方法を提供することにある。
【課題を解決するための手段】
【００１１】
第１発明に係る路面標示施工用天幕装置は、路面の標示施工箇所を路面と離隔した位置で覆う天幕、及び該天幕を前記標示施工箇所の近傍の路面に支持する支持体を備えることを特徴とする。
【００１２】
第１発明にあっては、支持体が天幕を支持しており、天幕を路面の上側に安全に広げることができ、路面の標示施工予定箇所を覆うことができるため、標示施工予定箇所に対して雨雪を遮断し、路面の標示施工予定箇所を濡れ難くできる。従って、自然乾燥、ガスバーナ等による乾燥器具により標示施工予定箇所を容易に乾燥させることができ、標示施工予定箇所に標示施工を行うことができる。
【００１３】
第２発明に係る路面標示施工用天幕装置は、前記天幕は横方向へ広げたときの面積を調整可能としてあり、前記支持体は横方向への長さを調整可能とした長さ調整部を有することを特徴とする。
【００１４】
第２発明にあっては、支持体の横方向への長さを調整することにより、天幕の広げたときの面積を調整することができるため、路面の標示施工予定箇所の長さに応じて天幕の面積を変えることができ、また、路面標示施工用天幕装置の持運び、及び収納を容易にできる。
【００１５】
第３発明に係る路面標示施工用天幕装置は、前記支持体は、その下端に転動輪を有する複数の脚部を有しており、前記長さ調整部は前記脚部間に架設され、引出／収納を可能に継合された複数の継杆を有することを特徴とする。
【００１６】
第３発明にあっては、転動輪を有するため、支持体を簡易に移動させることができ、しかも、横方向への長さを調整する長さ調整部が複数の継杆を有するため、長さ調整部の剛性を高めることができ、耐久性を向上できる。
【００１７】
第４発明に係る路面標示施工用天幕装置は、前記支持体は、その下端に転動輪を有する複数の脚部を有しており、前記長さ調整部は、前記脚部を連結した索部材を有することを特徴とする。
【００１８】
第４発明にあっては、転動輪を有するため、支持体を簡易に移動させることができ、しかも、横方向への長さを調整する長さ調整部が索部材を有するため、継杆を用いるものに比べて軽量にでき、また、支持体の横方向長さを短くすることができる。
【００１９】
第５発明に係る路面標示施工用天幕装置は、前記支持体は前記天幕を支持した枠形の天幕支持部と、該天幕支持部の外側に、防水性を有する熱遮蔽板を備えることを特徴とする。
【００２０】
第５発明にあっては、天幕により雨雪を遮断した標示施工予定箇所をガスバーナ等による乾燥器具により乾燥させる場合、この乾燥器具を熱遮蔽板の下側に配置することができ、乾燥器具による天幕の損傷を防ぐことができる。
【００２１】
第６発明に係る路面標示施工用天幕装置は、前記天幕は帯形をなしており、該天幕に結合され、天幕を繰出し可能に巻取る巻取具を備えることを特徴とする。
【００２２】
第６発明にあっては、支持体に支持された天幕を巻取具で巻取ることができるため、路面の標示施工予定箇所の長さに応じて天幕の面積を変えることができ、また、路面標示施工用天幕装置の持運び、及び収納を容易にできる。
【００２３】
第７発明に係る路面標示施工方法は、第１発明乃至第６発明のいずれかひとつに記載の路面標示施工用天幕装置を用いて路面の標示施工箇所を天幕で覆い、標示材排出部を有する路面標示施工装置の前記標示材排出部を前記天幕の下側に配置し、該標示材排出部から路面へ標示材を排出することにより、前記路面に標示施工することを特徴とする。
【００２４】
第７発明にあっては、支持体を路面に自立させることにより天幕を路面の上側に広げ、路面の標示施工予定箇所を覆う。この天幕により標示施工予定箇所に対して雨雪を遮断し、路面の標示施工予定箇所を濡れ難くできる。この結果、自然乾燥、ガスバーナ等による乾燥器具により標示施工予定箇所を容易に乾燥させることができ、標示施工予定箇所に標示施工を行うことができる。
【発明の効果】
【００２５】
第１発明によれば、支持体により天幕を安全に広げることができ、路面の標示施工予定箇所を濡れ難くできる。従って、自然乾燥、ガスバーナ等による乾燥器具により標示施工予定箇所を容易に乾燥させることができ、標示施工予定箇所に標示施工を行うことができる。
【００２６】
第２発明によれば、路面の標示施工予定箇所の長さに応じて天幕の面積を変えることができ、しかも、路面標示施工用天幕装置の持運び、及び収納を容易にできる。
【００２７】
第３発明によれば、支持体を簡易に移動させることができ、しかも、長さ調整部の剛性を高めることができ、耐久性を向上できる。
【００２８】
第４発明によれば、支持体を簡易に移動させることができ、しかも、継杆を用いるものに比べて軽量にでき、また、支持体の横方向長さを短くすることができる。
【００２９】
第５発明によれば、ガスバーナ等による乾燥器具を熱遮蔽板の下側に配置することができ、乾燥手段による天幕の損傷を防ぐことができる。
【００３０】
第６発明によれば、路面の標示施工予定箇所の長さに応じて天幕の面積を変えることができ、しかも、路面標示施工用天幕装置の持運び、及び収納を容易にできる。
【００３１】
第７発明によれば、天幕により標示施工予定箇所に対して雨雪を遮断し、路面の標示施工予定箇所を濡れ難くでき、この状態で自然乾燥、ガスバーナ等による乾燥器具により標示施工予定箇所を容易に乾燥させることができ、標示施工予定箇所に標示施工を行うことができる。
【発明を実施するための最良の形態】
【００３２】
以下本発明をその実施の形態を示す図面に基づき具体的に説明する。
実施の形態１
図１は本発明に係る路面標示施工用天幕装置の構成を示す概略斜視図、図２は路面標示施工用天幕装置の全長を短くした状態を示す概略斜視図である。
【００３３】
この路面標示施工用天幕装置は、路面の標示施工箇所を路面と離隔した位置で覆い、幅寸法に対して数倍の長さとなる帯状の天幕１と、該天幕１を標示施工箇所の近傍の路面に支持する支持体２とを備える。
【００３４】
支持体２は、その下端に転動輪３を有し、天幕１の幅方向及び長手方向に離隔して配置された４つの杆状の脚部２１と、該脚部２１の上端部に結合された枠形の天幕支持部２２と、天幕支持部２２の長手方向一端側に設けられた防水性を有する熱遮蔽板２３と、天幕支持部２２の長手方向他端側に上下方向へ揺動可能に枢支された水遮蔽板２４とを備えており、天幕支持部２２に天幕１の周縁部が支持されている。
【００３５】
天幕支持部２２は天幕１の長手方向側で脚部２１，２１間に架設された杆状の長さ調整部２２ａ，２２ａと、天幕１の幅方向側で脚部２１，２１間に架設された杆状の連結部２２ｂ，２２ｂとを有する。脚部２１と、長さ調整部２２ａ及び連結部２２ｂとは、３方向の嵌合孔を有する継手２５により夫々取外し可能に結合されている。また、転動輪３の転動を停止するロック手段を有し、該ロック手段を操作することにより転動輪３の転動を停止することができるように構成されている。
【００３６】
長さ調整部２２ａ，２２ａはパイプからなる太径継杆と、該太径継杆内に収納され、互いに継合可能としたパイプからなる複数の中径継杆と、最小径の中径継杆内に収納される小径継杆とを有し、太径継杆、中径継杆、小径継杆を１つの杆体となるように継合しており、太径継杆及び各中径継杆の小径端部に天幕１が支持されている。
【００３７】
また、支持体２には長さ調整部２２ａ，２２ａの一端から外方へ延出された２つの延出杆２６，２６と、該延出杆２６，２６の先端を支持し、その下端に転動輪３を有する２つの脚部２７，２７と、延出杆２６，２６の先端を連結した連結杆２８とが設けられており、延出杆２６，２６及び連結杆２８に熱遮蔽板２３が取付けられている。
【００３８】
熱遮蔽板２３は透光性を有する合成樹脂製シートからなり、天幕１とほぼ等しい高さとなる位置に配置されている。
【００３９】
水遮蔽板２４は合成樹脂製シートからなり、天幕１とほぼ等しい高さとなる位置にその軸芯が水平的となる枢支部を支点として上下方向へ揺動可能に枢支されている。
【００４０】
天幕１は可撓性を有する合成樹脂製シートからなり、長手方向途中に複数の折目１ａが離隔して設けられており、１つおきの折目１ａの端部を長さ調整部２２ａ，２２ａに支持することにより、天幕１をジグザグ状に屈曲可能とし、長手方向（横方向）へ広げたときの面積を調整可能としてある。
【００４１】
路面に施工する標示線は比較的短い線から比較的長い線まであり、また、標示線は１５〜４５cmの幅であるため、天幕１及び天幕支持部２２は長さが１〜５０ｍ、幅が約１ｍとなる大きさに形成されている。また、支持体２は天幕１の路面からの高さが５〜１００cmとなるように形成されている。
【００４２】
以上のように構成された路面標示施工用天幕装置は、横に広げられた天幕１が、４つの脚部２１と各脚部２１を連結した天幕支持部２２とを有する支持体２により安定性よく支持されているため、天幕１を路面の標示施工予定箇所の上側に安全に配置することができ、路面の標示施工予定箇所を覆うことができ、標示施工予定箇所を濡れ難くできる。しかも、支持体２は転動輪３を有するため、路面標示施工の進行に伴って路面標示施工用天幕装置を容易に移動させることができる。
【００４３】
また、支持体２の天幕支持部２２の長さが短くなるように長さ調整部２２ａ，２２ａを調整することにより天幕１をジグザグ状に屈曲させつつ折畳むことができ、路面標示施工用天幕装置の全長を短くすることができる。また、支持体２の天幕支持部２２の長さが長くなるように長さ調整部２２ａ，２２ａを調整しつつ天幕１を広げることにより、路面標示施工用天幕装置の全長を長くすることができる。
【００４４】
また、天幕支持部２２の外側に熱遮蔽板２３を備えるため、天幕１により覆われた標示施工予定箇所をガスバーナ、赤外線ヒータ等の乾燥器具により強制乾燥させる場合、乾燥器具の放熱部を熱遮蔽板２３の下側に配置して標示施工予定箇所を乾燥させることができ、放熱による天幕１の損傷を防ぐことができる。しかも、熱遮蔽板２３は透光性を有するため、熱遮蔽板２３の下側を覗き込むことなく、熱遮蔽板２３の上側から標示施工予定箇所を透視して標示施工予定箇所を透視でき、乾燥作業が行い易い。
【００４５】
実施の形態２
図３は本発明に係る路面標示施工用天幕装置の他の構成を示す概略斜視図、図４は路面標示施工用天幕装置の全長を短くした状態を示す概略斜視図である。この路面標示施工用天幕装置は、天幕１の熱遮蔽板２３側の端部が結合された巻取軸４１を有し、該巻取軸４１を手動で回転させることにより天幕１を繰出し可能に巻取る巻取具４を支持体２の天幕支持部２２に設けたものである。
【００４６】
実施の形態２において、天幕１は柔軟性を有する合成樹脂製シートからなり、支持体２は長さ調整部２２ａ，２２ａを有する実施の形態１と同様に形成されており、さらに、巻取軸４１の両端部を回転可能に支持した軸受部５，５が天幕支持部２２の長手方向一端部に設けられている。
【００４７】
巻取具４は連結部２２ｂと平行的に配置された巻取軸４１と、該巻取軸４１の一端に連なるハンドル４２とを有しており、軸受部５，５に回転可能に支持されている。
【００４８】
実施の形態２にあっては、支持体２の天幕支持部２２の長さが短くなるように長さ調整部２２ａ，２２ａを調整しつつ巻取軸４１を回転させることにより天幕１を巻取軸４１に巻取ることができ、路面標示施工用天幕装置の全長を短くすることができる。また、支持体２の天幕支持部２２の長さが長くなるように長さ調整部２２ａ，２２ａを調整しつつ天幕１を広げることにより、路面標示施工用天幕装置の全長を長くすることができる。
その他の構成及び作用は実施の形態１と同じであるため、同様の部品については同じ符号を付し、その詳細な説明及び作用効果の説明を省略する。
【００４９】
実施の形態３
図５は本発明に係る路面標示施工用天幕装置の他の構成を示す概略斜視図である。この路面標示施工用天幕装置は支持体２の天幕支持部２２を長さ調整することができない枠形とし、この天幕支持部２２に天幕１を支持したものである。
【００５０】
実施の形態３において、支持体２は実施の形態１の長さ調整部２２ａ，２２ａを、１つの杆部材からなる連結部２２ｃ，２２ｃとしてある。脚部２１と、連結部２２ｂ，２２ｂ及び連結部２２ｃ，２２ｃとは、３方向の嵌合孔を有する継手２５により夫々取外し可能に結合されている。
【００５１】
実施の形態３にあっては、横に広げられた天幕１が、４つの脚部２１と各脚部２１間に架設された４つの連結部２２ｂ，２２ｂ、２２ｃ，２２ｃとを有する支持体２により安定性よく支持されているため、天幕１を路面の標示施工予定箇所の上側に安全に配置することができ、路面の標示施工予定箇所を覆うことができ、標示施工予定箇所を濡れ難くできる。しかも、支持体２は転動輪３を有するため、路面標示施工の進行に伴って路面標示施工用天幕装置を容易に移動させることができる。
尚、実施の形態３では、熱遮蔽板２３及び水遮蔽板２４を備える構成としてもよい。
【００５２】
図６、図７は本発明に係る路面標示施工方法の説明図である。図６は実施の形態１の路面標示施工用天幕装置を用いて標示施工箇所を乾燥している状態を示しており、図７は実施の形態１の路面標示施工用天幕装置を用いて標示施工を行う状況を示している。
【００５３】
路面の標示施工箇所に標示施工を行う場合、路面の標示施工箇所の近傍に、天幕１を広げていない路面標示施工用天幕装置を配置し、標示施工箇所を天幕１及び熱遮蔽板２３で覆い、標示施工予定箇所に対して雨雪を遮断し、路面の標示施工予定箇所を濡れ難くする。この後、ガスバーナ等の乾燥器具６の放熱部６１を熱遮蔽板２３の下側に配置して標示施工予定箇所を乾燥させつつ支持体２の熱遮蔽板２３側を移動させ、天幕支持部２２の長さが順次長くなるように調整し、天幕１を順次広げる。この場合、放熱部６１が乾燥させた標示施工箇所を順次天幕１で覆うことができるため、標示施工箇所の乾燥状態を維持することができる。このように標示施工箇所を天幕１が覆った状態で、支持体２の水遮蔽板２４側に路面標示施工装置７を配置し、標示材排出部７１を標示施工箇所の標示施工開始位置に配置し、該標示材排出部７１の上側を水遮蔽板２４で覆う。この状態で路面標示施工装置７を移動させ、標示施工を行いつつ支持体２の水遮蔽板２４側を移動させ、天幕支持部２２の長さを順次短くする。尚、標示施工を行いつつ天幕支持部２２の長さを順次短くする代わりに、標示施工を行いつつ支持体２の全体を移動させるようにしてもよい。
【００５４】
尚、以上説明した実施の形態では長さ調整部２２ａ，２２ａを複数の継杆により構成したが、その他、ワイヤ、ロープ等の索部材により構成してもよい。
また、以上説明した実施の形態の支持体２は、帯状の天幕１の両端部側に２つの脚部２１を有する構成としたが、その他、天幕１の両端部側に夫々１つの脚部２１を有し、倒れ防止部材により各脚部２１の倒れを防ぐように構成してもよい。
【００５５】
また、以上説明した実施の形態では熱遮蔽板２３及び水遮蔽板２４を備える構成としたが、その他、熱遮蔽板２３及び水遮蔽板２４をなくした構成としてもよい。水遮蔽板２４をなくした場合、標示材排出部７１は天幕の真下又は天幕の斜め下側に配置される。
【００５６】
また、以上説明した路面標示施工方法は実施の形態１の路面標示施工用天幕装置を用いた例について説明したが、その他、実施の形態２又は実施の形態３の路面標示施工用天幕装置を用いて路面標示施工を行ってもよい。この場合の路面標示施工方法は上述した方法と同様であるため、方法の詳細な説明を省略する。
【図面の簡単な説明】
【００５７】
【図１】本発明に係る路面標示施工用天幕装置の構成を示す概略斜視図である。
【図２】本発明に係る路面標示施工用天幕装置の全長を短くした状態を示す概略斜視図である。
【図３】本発明に係る路面標示施工用天幕装置の他の構成を示す概略斜視図である。
【図４】本発明に係る路面標示施工用天幕装置の全長を短くした状態を示す概略斜視図である。
【図５】本発明に係る路面標示施工用天幕装置の他の構成を示す概略斜視図である。
【図６】本発明に係る路面標示施工方法の説明図である。
【図７】本発明に係る路面標示施工方法の説明図である。
【符号の説明】
【００５８】
１    天幕
２    支持体
２１  脚部
２２  天幕支持部
２２ａ  長さ調整部
２３  熱遮蔽板
３    転動輪
４    巻取具
７    路面標示施工装置
７１  標示材排出部
【図１】
2006016857.tif 000003
【図２】
2006016857.tif 000004
【図３】
2006016857.tif 000005
【図４】
2006016857.tif 000006
【図５】
2006016857.tif 000007
【図６】
2006016857.tif 000008
【図７】
2006016857.tif 000009